(57)【要約】【課題】表示装置などに表示した情報に関連する詳細な情報をユーザに知らせ、又は表示された情報を取得させることが可能な情報配信システム及び情報配信ネットワークを提供することである。【解決手段】表示部１６Ａ、１６Ｂ、１６Ｃ、１６Ｄと、該表示部部１６Ａ、１６Ｂ、１６Ｃ、１６Ｄに表示する表示情報を格納する表示情報格納部１８と、該表示情報格納部１８に格納された表示情報と関連する関連情報を格納する関連情報格納部２０と、前記表示情報格納部１８に格納された表示情報及び前記関連情報格納部２０に格納された関連情報うち、所定の空間内に存するクライアント端末部２６Ａ、２６Ｂ、２６Ｃ、２６Ｄが要求する情報を該クライアント端末に送信する送受信部２８と、を備えたことを特徴とする情報配信システムである。【選択図】図３
2006216084.tif 000002
【特許請求の範囲】
【請求項１】
表示部と、
該表示部に表示する表示情報を格納する表示情報格納部と、
該表示情報格納部に格納された表示情報と関連する関連情報を格納する関連情報格納部と、
前記表示情報格納部に格納された表示情報及び前記関連情報格納部に格納された関連情報うち、所定の空間内に存するクライアント端末が要求する情報を該クライアント端末に送信する第１送受信部と、
を備えたことを特徴とする情報配信システム。
【請求項２】
前記第１送受信部は、前記所定の空間内に存するクライアント端末と無線ＬＡＮを形成し、該無線ＬＡＮが形成されたクライアント端末からの要求にのみ応じるように構成されていることを特徴とする請求項１記載の情報配信システム。
【請求項３】
前記第１送受信部は、前記無線ＬＡＮが形成されたクライアント端末に、前記表示情報格納部に格納された表示情報及び前記関連情報格納部に格納された関連情報うち、送信可能な情報のリストを送信し、そのリストに掲載された情報のうち、特定の情報の送信の要求を前記クライアント端末から受信すると、前記クライアント端末に要求された情報を送信するよう構成されていることを特徴とする請求項２記載の情報配信システム。
【請求項４】
前記送信可能な情報のリストは、所定の時間内に前記表示部に表示された表示情報及びそれに関連する関連情報のいずれか一以上であることを特徴とする請求項３記載の情報配信システム。
【請求項５】
請求項１乃至４いずれか記載の情報配信システムが二以上設けられた情報配信ネットワークであって、
前記情報配信システムのうち一の情報配信システムは、前記表示情報格納部に格納する表示情報及び前記関連情報格納部に格納する関連情報を外部端末から受信可能な第２送受信部と、該第２送受信部によって受信された表示情報及び関連情報を他の情報配信システムに送信可能な第３送受信部と、を備え、
前記情報配信システムのうち他の情報配信システムは、前記一の情報配信システムから表示情報及び関連情報を受信可能な第４送受信部を備え、
前記一の情報配信システムは、前記第２送受信部が表示情報及び関連情報を受信すると、受信した表示情報及び関連情報を前記表示情報格納部及び関連情報格納部それぞれに格納し、
前記他の情報配信システムは、前記第４送受信部が表示情報及び関連情報を受信すると、受信した表示情報及び関連情報を前記表示情報格納部及び関連情報格納部それぞれに格納するように構成されていることを特徴とする情報配信ネットワーク。
【発明の詳細な説明】
【技術分野】
【０００１】
本発明は、電車などの車両内に設置された表示装置などから情報を配信する情報配信システム及び情報配信ネットワークに関する。
【背景技術】
【０００２】
従来から、電車などの車両内にディスプレイなど表示装置を設置し、その表示装置に天気予報や電車の運行情報、または広告などを表示させる車内案内情報表示装置が利用されている。例えば、特許文献１には、行先案内表示等のほか各種の情報を表示することにより乗客に対するサービス向上を図ることのできる車内案内情報表示装置が記載されている。すなわち、この車内案内表示装置は、運行状況情報収集部が、走行速度など車両の運行状態を示す情報を収集し、これを基に表示情報選択部が次に行先案内などの定型文章を表示すべきタイミングが到来するまでの空き時間の長さを求め、ＦＭ多重放送等を通じて受信し通常情報記憶部などに記憶しあるニュースなどの文字情報を文章の途中で途切れることなく表示可能なだけの空き時間が存在するとき、当該ニュースなどの情報を車内の表示装置を通じて乗客に提供するものである。
【０００３】
【特許文献１】特開平１０−２８７２４２号公報
【発明の開示】
【発明が解決しようとする課題】
【０００４】
しかしながら、従来の車内案内情報表示装置は、限られた時間、スペースでニュースや広告、電車の運行情報を表示する必要があるため、これらに関し、簡潔な情報しか表示することができず、詳細な情報を乗客などのユーザに知らせることが困難であるという問題がある。一方、乗客は、表示された情報を全て記憶するのが難しく、その表示された表示情報やそれに関連する関連情報を取得したいという要望もある。
【０００５】
そこで、本発明は、表示装置などに表示した情報に関連する詳細な情報をユーザに知らせ、又は表示された表示情報やそれに関連する関連情報をユーザに取得させることが可能な情報配信システム及び情報配信ネットワークを提供することを目的とする。
【課題を解決するための手段】
【０００６】
以上の目的を達成するため、本発明は、表示部と、該表示部に表示する表示情報を格納する表示情報格納部と、該表示情報格納部に格納された表示情報と関連する関連情報を格納する関連情報格納部と、前記表示情報格納部に格納された表示情報及び前記関連情報格納部に格納された関連情報うち、所定の空間内に存するクライアント端末が要求する情報を該クライアント端末に送信する第１送受信部と、を備えたことを特徴とする情報配信システムである。
【０００７】
以上のように、本発明に係る情報配信システムによれば、第１送受信部によって表示部に表示された表示情報やそれに関連する関連情報をクライアント端末に送信することが可能である。
【０００８】
本発明に係る情報配信システムは、鉄道の車両や飛行機など乗り物や、駅や空港など人が集まる場所に設けられ、乗客などの利用者が見ることができる位置に表示部が設置されることが好ましい。また、本発明に係る情報配信システムにおいて、表示情報としては、例えば鉄道の運行状況、天気予報、ニュース、広告などがあり、関連情報としては、鉄道の乗り換え情報、週間又は他の地域の天気予報、ニュースの詳細な内容、広告の詳細な内容などがある。また、関連情報には、音楽データや動画データなども含まれる。
【０００９】
本発明に係る情報配信システムにおいて、前記第１送受信部は、前記所定の空間内に存するクライアント端末と無線ＬＡＮを形成し、該無線ＬＡＮが形成されたクライアント端末からの要求にのみ応じるように構成されていることが好ましく、この場合、前記第１送受信部は、前記無線ＬＡＮが形成されたクライアント端末に、前記表示情報格納部に格納された表示情報及び前記関連情報格納部に格納された関連情報うち、送信可能な情報のリストを送信し、そのリストに掲載された情報のうち、特定の情報の送信の要求を前記クライアント端末から受信すると、前記クライアント端末に要求された情報を送信するよう構成されていることが好ましい。さらに、この場合、前記送信可能な情報のリストは、所定の時間内、例えば前後１５分以内に前記表示部に表示された表示情報及びそれに関連する関連情報のいずれか一以上であることが好ましい。
【００１０】
また、本発明は、前記情報配信システムが二以上設けられた情報配信ネットワークであって、前記情報配信システムのうち一の情報配信システムは、前記表示情報格納部に格納する表示情報及び前記関連情報格納部に格納する関連情報を外部端末から受信可能な第２送受信部と、該第２送受信部によって受信された表示情報及び関連情報を他の情報配信システムに送信可能な第３送受信部と、を備え、前記情報配信システムのうち他の情報配信システムは、前記一の情報配信システムから表示情報及び関連情報を受信可能な第４送受信部を備え、前記一の情報配信システムは、前記第２送受信部が表示情報及び関連情報を受信すると、受信した表示情報及び関連情報を前記表示情報格納部及び関連情報格納部それぞれに格納し、前記他の情報配信システムは、前記第４送受信部が表示情報及び関連情報を受信すると、受信した表示情報及び関連情報を前記表示情報格納部及び関連情報格納部それぞれに格納するように構成されていることを特徴とする。
【発明の効果】
【００１１】
以上のように、本発明によれば、表示装置などに表示した情報に関連する詳細な情報をユーザに知らせ、又は表示された情報及びそれに関連する関連情報をユーザに取得させることが可能な情報配信システム及び情報配信ネットワークを提供することができる。
【発明を実施するための最良の形態】
【００１２】
次に、本発明に係る情報配信システムの実施例について図面に基づいて説明する。図１は、本実施例に係る情報配信システムが搭載された電車の概念図であり、図２は、本実施例に係る情報配信システムとクライアント端末の斜視図である。本実施例に係る情報配信システム１０Ａ、１０Ｂ、１０Ｃ・・・は、図１に示すように電車の各車両の天井に所定の間隔をおいて複数設置されており、外観を構成する筐体１２は、図２に示すように下方に頂点を有する略二等辺三角形状に形成された側板１２Ａ、１２Ｂと、これら側板１２Ａ、１２Ｂの辺に沿って所定の傾きをもって設けられた前板１２Ｃ及び後板１２Ｄと、を備えている。これら前板１２Ｃと後板１２Ｄには、後述するＬＣＤ１６Ａ、１６Ｂ、１６Ｃ、１６Ｄが各２枚ずつ並列させて設置されており、これら前板１２Ｃと後板１２Ｄは、所定の傾きを有するので、乗客などユーザは、これらＬＣＤ１６Ａ、１６Ｂ、１６Ｃ、１６Ｄを容易に見ることができる。
【００１３】
情報配信システム１０Ａ、１０Ｂ、１０Ｃ・・・は、外部の情報配信端末１４から後述するＬＣＤ１６Ａ、１６Ｂ、１６Ｃ、１６Ｄに表示する情報やそれに関連する情報を受信するメインシステム１０Ａと、そのメインシステム１０Ａからそれら情報を受信するノーマルシステム１０Ｂ、１０Ｃ・・・と、からなり、メインシステム１０Ａとその他のノーマルシステム１０Ｂ、１０Ｃ・・・は、無線ＬＡＮによって接続されている。
【００１４】
メインシステム１０Ａは、図３に示すように４枚のＬＣＤ１６Ａ、１６Ｂ、１６Ｃ、１６Ｄと、これらＬＣＤ１６Ａ、１６Ｂ、１６Ｃ、１６Ｄに表示する表示情報を格納する表示情報データベース１８と、表示情報データベース１８に格納された表示情報と関連する関連情報を格納する関連情報データベース２０と、外部の情報配信端末１４からの表示情報と関連情報を受信する送受信部２２と、他のノーマルシステム１０Ｂ、１０Ｃ・・・と無線ＬＡＮによって接続するための内部アクセスポイント２４と、所定の空間に存するＰＤＡやノートパソコンなどクライアント端末２６Ａ、２６Ｂ、２６Ｃ、２６Ｄ・・・と無線ＬＡＮによって接続するための外部アクセスポイント２８と、ＬＣＤや各無線ＬＡＮなどを制御する制御部３０と、を備えている。
【００１５】
内部アクセスポイント２４は、その他のノーマルシステム１０Ｂ、１０Ｃ・・・毎に予めＩＰアドレスを付して無線ＬＡＮを形成するよう構成されている。一方、外部アクセスポイント２８は、ＤＨＣＰサーバ３２に接続されており、所定の空間に存するクライアント端末２６Ａ、２６Ｂ、２６Ｃ、２６Ｄ・・・とＩＤ及びパスワードなどによる認証の結果、接続が許可されると、ＤＨＣＰサーバ３２により付与されたＩＰアドレスによって、無線ＬＡＮを形成するように構成されている。これら内部アクセスポイント２４によって形成されているネットワークと外部アクセスポイント２８によって形成されているネットワークは、互いにアクセスができないように構成されている。
【００１６】
制御部３０は、送受信部２２が外部の情報配信端末１４から表示情報と関連情報を受信すると、これら表示情報と関連情報を内部アクセスポイント２４によって形成された無線ＬＡＮによって他のノーマルシステム１０Ｂ、１０Ｃ・・・に送信するとともに、それぞれを表示情報データベース１８及び関連情報データベース２０に格納するように構成されている。これら表示情報と関連情報は、それぞれシリアルナンバーなどによって関連付けされた状態で格納されている。
【００１７】
ノーマルシステム１０Ｂ、１０Ｃ・・・は、図４に示すようにメインシステム１０Ａのように送受信部２２と内部アクセスポイント２４を備えていないが、内部アクセスポイント２４の代わりに、メインシステム１０Ａのアクセスポイント２４と無線ＬＡＮによって接続するための無線ＬＡＮカード３４を備えている。その他の構成は、メインシステム１０Ａと同様である。ノーマルシステム１０Ｂ、１０Ｃ・・・の制御部３０は、無線ＬＡＮカード３４がメインシステム１０Ａから表示情報及び関連情報を受信すると、それぞれ表示情報データベース１８及び関連情報データベース２０に格納するように構成されており、これら表示情報と関連情報は、メインシステム１０Ａと同様にそれぞれシリアルナンバーなどによって関連付けされた状態で格納されている。
【００１８】
次に、本実施例に係る情報配信システムが所定の空間内に存するクライアント端末に情報を配信する際の動作について、図５に示すシーケンスチャートに基づいて説明する。なお、メインシステム１０Ａと他のノーマルシステム１０Ｂ、１０Ｃ・・・は、この動作については同様である。先ず、一の情報配信システム、例えば、情報配信システム１０Ｂは、所定の空間、すなわち外部アクセスポイント２８と通信が可能な範囲に存するクライアント端末、例えばクライアント端末２６Ａから無線ＬＡＮの接続要求を受信すると（Ｓ１００）、ＩＤとパスワードを入力するための情報を外部アクセスポイント２８からクライアント端末２６Ａに送信する（Ｓ１０２）。制御部３０は、外部アクセスポイント２８がＩＤ及びパスワードに関する情報を受信すると（Ｓ１０４）、ＩＤ及びパスワードの認証を行い、これらが正当なものであると認定すると、ＤＨＣＰサーバ３４によってそのクライアント端末２６ＡにＩＰアドレスを付して、クライアント端末２６Ａとの無線ＬＡＮを確立する（Ｓ１０６）。
【００１９】
制御部３０は、クライアント端末２６Ａとの無線ＬＡＮを確立後、ＬＣＤ１６Ａ、１６Ｂ、１６Ｃ、１６Ｄに表示される表示情報に関連する関連情報のリストを外部アクセスポイント２８からクライアント端末２６Ａに送信する（Ｓ１０８）。このリストには、関連情報データベース２０に格納されている関連情報のうち、所定の時間、例えば前後１５分以内にＬＣＤ１６Ａ、１６Ｂ、１６Ｃ、１６Ｄに表示された表示情報及びこれらから表示される表示情報それぞれに関連する関連情報が掲載されている。そして、制御部３０は、外部アクセスポイント２８が、クライアント端末のユーザからリストに掲載された関連情報うち選択された所定の関連情報のダウンロードの要求を受信すると（Ｓ１１０）、外部アクセスポイント２８からその関連情報をクライアント端末２６Ａに配信し（Ｓ１１２）、これによりユーザは、関連情報を取得することができる。
【図面の簡単な説明】
【００２０】
【図１】本発明に係る情報配信システムの実施例が搭載された電車の概念図である。
【図２】本実施例に係る情報配信システムとクライアント端末の斜視図である。
【図３】本実施例に係る情報配信システムであるメインシステムのブロック図である。
【図４】本実施例に係る情報配信システムであるノーマルシステムのブロック図である。
【図５】本実施例に係る情報配信システムの動作を示すシーケンスフローである。
【符号の説明】
【００２１】
１６Ａ、１６Ｂ、１６Ｃ、１６Ｄ     表示部
１８   表示情報格納部
２０   関連情報格納部
２６Ａ、２６Ｂ、２６Ｃ、２６Ｄ     クライアント端末
２８   外部アクセスポイント
【図１】
2006216084.tif 000003
【図２】
2006216084.tif 000004
【図３】
2006216084.tif 000005
【図４】
2006216084.tif 000006
【図５】
2006216084.tif 000007